(57)【要約】      （修正有）【課題】ＧＳＭ移動無線通信システムにおいて、移動局および基地局との間で、ＧＳＭインタフェ−ス基準に基づいて信号メッセ−ジを発生させることを含むＣＤＭＡ大気インタフェ−スを介して、信号を伝えるための方法を提供する。【解決手段】デ−タリンクサ−ビスは、ＣＤＭＡ大気インタフェ−スを介する伝送のためのメッセ−ジを処理するために提供され、処理されたメッセ−ジは、それから、ＣＤＭＡ大気インタフェ−スを介して伝送される。好ましくは、デ−タリンクサ−ビスは、伝送のためのＩＳ−９５メッセ−ジを作り出すデ−タリンク層５４によって提供される。【選択図】図３Ａ
2011055490.tif 000002
【特許請求の範囲】
【請求項１】
ＧＳＭ移動無線通信システムにおいて、ＣＤＭＡ大気インタフェ−スを介して移動局と基地局の間で信号を伝えるための方法であって、
ＧＳＭインタフェ−ス基準に基づく信号メッセ−ジを発生させ、
ＣＤＭＡ大気インタフェ−スを介する伝送のためのメッセ−ジを処理するためのデ−タリンクサ−ビスを提供し、
ＣＤＭＡ大気インタフェ−スを介して処理されたメッセ−ジを伝送することを含む方法。
【請求項２】
伝送のためのＩＳ−９５メッセ−ジを作り出すことを含むデ−タリンクサ−ビスを提供する、請求項１に従う方法。
【請求項３】
ＧＳＭインタフェ−ス基準に基づく信号メッセ−ジを処理するためにデ−タリンクプロトコル層を提供することを含むＩＳ−９５メッセ−ジを作り出し、そのプロトコル層は信号メッセ−ジを受信し信号メッセ−ジに基づくＩＳ−９５メッセ−ジを作り出す適合副層を含む、請求項２に従う方法。
【請求項４】
適合副層はＩＳ−９５デ−タバ−ストメッセ−ジの全般的な形式で信号メッセ−ジを内部に閉じ込める、請求項３に従う方法。
【請求項５】
デ−タリンクプロトコル層は更にＩＳ−９５デ−タリンク層を含み、且つ適合副層はＧＳＭ基準に基づく無線資源プロトコル副層から信号メッセ−シを受信し、ＩＳ−９５デ−タリンク層へＩＳ−９５メッセ−ジを伝える、請求項３に従う方法。
【請求項６】
適合副層は更にＩＳ−９５基準に基づく信号メッセ−ジを受信し、実質的に処理することなくデ−タリンクプロトコル層へＩＳ−９５基準に基づくメッセ−ジを伝える、請求項５に従う方法。
【請求項７】
ＩＳ−９５メッセ−ジを作り出すことは、信号メッセ−ジを受信し信号メッセ−ジに基づくＩＳ−９５メッセ−ジを作り出す適合副層を含む、ＧＳＭ基準に基づく無線資源プロトコル副層を提供することを含む、請求項２に従う方法。
【請求項８】
デ−タリンクサ−ビスを提供することはメツセ−ジを内部に閉じ込めることを含む、請求項１に従う方法。
【請求項９】
メツセ−ジを内部に閉じ込めることはＩＳ−９５デ−タバ−ストメッセ−ジの全般的な形式でメツセ−ジを内部に閉じ込めることを含む、請求項８に従う方法。
【請求項１０】
デ−タリンクサ−ビスを提供することはＣＤＭＡ大気インタフェ−スを介する伝送のために複数のサブメッセ−ジにメッセ−ジを断片化することを含む、請求項１に従う方法。
【請求項１１】
メッセ−ジを断片化することはその連続する順序に従ってサブメッセ−ジ各自のヘッダにメッセ−ジ番号を割当てることを含み、且つサブメッセ−ジを受信しメッセ−ジ番号に応答して連続する順序にサブメッセ−ジを連結することを含む、請求項１０に従う方法。
【請求項１２】
メッセ−ジを発生させることは割当てられた順序を持つ複数のメッセ−ジを発生させることを含み、且つＣＤＭＡ大気インタフェ−スを介して承認作用モ−ドでメッセ−ジを受信し、割当てられた順序に応答してメッセ−ジを配列することを含む、請求項１に従う方法。
【請求項１３】
メッセ−ジを発生させることは夫々の優先権を持つ複数のメッセ−ジを発生させることを含み、且つデ−タリンクサ−ビスを提供することはその優先権に応答する順序でＣＤＭＡ大気インタフェ−スを介する伝送のための処理されたメッセ−ジを伝えることを含む、請求項１に従う方法。
【請求項１４】
デ−タリンクサ−ビスを提供することはＧＳＭサ−ビス接続点インジケ−タに応答して優先権を割当てることを含む、請求項１３に従う方法。
【請求項１５】
デ−タリンクサ−ビスを提供することは第１番目の基地局から第２番目の基地局への移動局のハンドオ−バの間移動局によってＧＳＭ信号メッセ−ジの伝送を中止し且つハンドオ−バが完結後伝送を再開することを含む、請求項１に従う方法。
【請求項１６】
第１番目の基地局はＣＤＭＡ大気インタフェ−スを持ち、且つ第２番目の基地局はＧＳＭ−ＴＤＭＡ大気インタフェ−スを持ち、且つデ−タリンクサ−ビスを提供することは、メッセ−ジがＧＳＭ−ＴＤＭＡ大気インタフェ−スを介する伝送のために用意されるように、メッセ−ジの伝送がＧＳＭデ−タリンクプロトコル層へのハ−ドハンドオ−バに応答して中止されるメッセ−ジを切り換えることを含む、請求項１５に従う方法。
【請求項１７】
処理されたメッセ−ジを伝送することはトラフィックチャンネルを介してメッセ−ジを伝送することを含む、請求項１に従う方法。
【請求項１８】
ＧＳＭ移動通信システムにおいて使用される無線通信装置であって、
基地局、
ＧＳＭインタフェ−ス基準に従って発生する、基地局と移動局の間の信号メッセ−ジがＣＤＭＡ大気インタフェ−スを介する伝送のために処理されるように、基地局を用いてＣＤＭＡ大気インタフェ−スを介して通信するように且つＣＤＭＡ大気インタフェ−スを介して伝送されるメッセ−ジを処理するためのデ−タリンクサ−ビスを提供するように構成された移動局を含む装置。
【請求項１９】
ＣＤＭＡ大気インタフェ−スはＩＳ−９５基準に基づく、請求項１８に従う装置。
【請求項２０】
基地局と移動局はＧＳＭインタフェ−ス基準に基づく信号メッセ−ジを処理するためにデ−タリンク層を含むプロトコルスタックを使用して通信し、プロトコル層は信号メッセ−ジを受信し、信号メッセ−ジに基づくＩＳ−９５メッセ−ジを作り出す適合副層を含む、請求項１９に従う装置。
【請求項２１】
適合副層はＩＳ−９５デ−タバ−ストメッセ−ジの全般的な形式で信号メツセ−ジを内部に閉じ込める、請求項２０に従う装置。
【請求項２２】
デ−タリンク層は更にＩＳ−９５デ−タリンク層を含み、且つ適合副層はＧＳＭ標準に基づく無線資源プロトコル副層から信号メッセ−ジを受信し、ＩＳ−９５デ−タリンク層へＩＳ−９５メッセ−ジを伝える、請求項２０に従う装置。
【請求項２３】
適合副層は更にＩＳ−９５基準に基づく信号メッセ−ジを受信し、実質的に処理することなくデ−タリンク層へＩＳ−９５基準に基づくメッセ−ジを伝える、請求項２２に従う装置。
【請求項２４】
基地局と移動局は、信号メッセ−ジを受信し信号メッセ−ジに基づくＩＳ−９５メッセ−ジを作り出す適合副層を含む、ＧＳＭインタフェ−ス標準に基づく無線資源プロトコル副層を含むプロトコルスタックを使用して通信する、請求項１９に従う装置。
【請求項２５】
信号メッセ−ジは伝送のために内部に閉じ込められる、請求項１８に従う装置。
【請求項２６】
信号メッセ−ジはＩＳ−９５デ−タバ−ストメッセ−ジの全般的な形式で内部に閉じ込められる、請求項２５に従う装置。
【請求項２７】
少なくとも幾つかのメッセ−ジはＣＤＭＡ大気インタフェ−スを介する伝送のために複数のサブメッセ−ジに断片化される、請求項１８に従う装置。
【請求項２８】
メッセ−ジ番号はその連続する順序に従ってサブメッセ−ジ各自のヘッダに割当てられ、且つサブメッセ−ジは受信されるとき、メッセ−ジ番号に応答して連続する順序に連結される、請求項２７に従う装置。
【請求項２９】
複数のメッセ−ジはＣＤＭＡ大気インタフェ−スを介して承認伝送モ−ドに割当てられた順序に従って伝送され、且つメッセ−ジは受信されたとき、割当てられた順序に応答する出力のために配列される、請求項１８に従う装置。
【請求項３０】
メッセ−ジは夫々の優先権を持ちその優先権に応答する順序でＣＤＭＡ大気インタフェ−スを介する伝送のために伝えられる、請求項１８に従う装置。
【請求項３１】
優先権はＧＳＭサ−ビス接続点インジケ−タに応答して割当てられる、請求項３０に従う装置。
【請求項３２】
移動局は第１番目の基地局から第２番目の基地局への移動局のハ−ドハンドオ−バの間メッセ−ジの伝送を中止し、ハンドオ−バが完結後伝送を再開する、請求項１８に従う装置。
【請求項３３】
第１番目の基地局はＣＤＭＡ大気インタフェ−スを持ち、第２番目の基地局はＧＳＭ−ＴＤＭＡ大気インタフェ−スを持ち、且つメッセ−ジがＧＳＭ−ＴＤＭＡ大気インタフェ−スを介する伝送のために用意されるように中止されたメツセ−ジはＧＳＭデ−タリンク層へのハンドオ−バに応答して切り換えられる、請求項３２に従う装置。
【請求項３４】
処理されたメッセ−ジはトラフィックチャンネルを介して伝送される、請求項１８に従う装置。
【発明の詳細な説明】
【技術分野】
【０００１】
本発明は、全般的にみて無線通信に関し、特に、進歩したセルラ電話網に関する。
【背景技術】
【０００２】
移動通信のための包括的システム（ＧＳＭ）は、世界をめぐる多くの国々において、セルラ電話網に使用されている。ＧＳＭは網サ−ビス及び網基準の有用な範囲を提供する。ＧＳＭ基準は、加入者ユニット（移動局ＭＳとしても周知の）、基地局サブシステム（ＢＳＳ）及び移動交換センタ（ＭＳＣ）を含む網の要素間の信号及びユ−ザトラフィックを伝えるのに使用されるプロトコルスタックを定義する。
【０００３】
図１は、技術的に周知で、ＧＳＭ基準、特にＧＳＭ０４．ｘｘシリ−ズの基準によって定義されているような、ＭＳと網の間の専用（ｄｅｄｉｃａｔｅｄ）制御チャンネルを介する信号に使用されるＧＳＭ基準プロトコルスタックを図式的に示すブロック図である。用語“専用”は、ＭＳが空き状態、即ち待機状態であるときと対照したものとして、ＭＳへ又はＭＳからの呼の間に使用される通信チャンネルに言及する。最下位のプロトコル層（ｐｒｏｔｏｃｏｌ  ｌａｙｅｒ）は、現存するＧＳＭ網において、時分割多元接続（ＴＤＭＡ）ディジタル通信技術に基づく空間インタフェ−ス（ａｉｒ  ｉｎｔｅｒｆａｃｅ）の物理層である。デ−タリンク層は、特に、ここに引用文献として組入れられているＧＳＭ基準０４．０５及び０４．０６に定義されているように、デ−タリンクサ−ビスと機能性（ｆｕｎｃｔｉｏｎａｌｉｔｙ）を提供する。ＧＳＭデ−タリンク層は、承認と未承認の両方のメッセ−ジ作用モ−ドを支援する。承認モ−ドにおいては、デ−タリンク層は、通信の（１）メッセ−ジ整列、（２）優先権と断片化及び（３）中止と再開、を含むサ−ビスを用いて、より上位層メッセ−ジの確実な伝送を提供する。
【０００４】
１つの実施形態において、３つの副層（ｓｕｂｌａｙｅｒ）を含む無線インタフェ−ス層は、デ−タリンク層と物理層を通して信号を制御し通過させる。層１と物理層の用語が、一般に交換可能に使用されることは、技術的に習熟した人達によって理解されるだろう。同様に、層２とデ−タリンク層は一般に交換可能に使用される。更に、層３、ＲＩＬ３及び無線インタフェ−ス層の用語は、一般に技術的に習熟した人達によって交換可能に使用される。本事例においては、物理層、デ−タリンク層及び無線インタフェ−ス層の用語は、単に明快にするために終りまでずっと使用される。
【０００５】
無線インタフェ−ス層の最下位の副層は、無線資源（ＲＲ）管理副層である。ＲＲ管理副層は、その上の移動性管理（ＭＭ）と呼管理（ＣＭ）の副層を支援する。ＣＭ副層は、ＧＳＭ補足サ−ビスと同様に呼処理のための信号を支援する。ＭＭ副層は、ＭＳの配置、認証及び暗号鍵管理のために要求される信号を支援する。ＧＳＭ短メッセ−ジサ−ビス（ＳＭＳ）と関連するプロトコルのように、物理層とデ−タリンク層を通してメッセ−ジを伝送するために使用されてもよいどのようなプロトコルも、この説明の目的のために無線インタフェ−ス層プロトコルであると考えられるだろうということは、注目されるべきである。
【０００６】
符号分割多元接続（ＣＤＭＡ）は、セルラ電話加入者と基地局の間により確実で、フェ−ディングに煩わされないリンクを与えるのと同様に、ＴＤＭＡより効率的な無線帯域幅の使用を与える改良されたディジタル通信技術である。先導するＣＤＭＡ基準は、米国電気通信工業会（ＴＩＡ）によって普及させられたＴＩＡ／ＥＩＡ−９５（一般にＩＳ−９５として参照される）である。ＩＳ−９５は、物理層とデ−タリンク層を含むトラフィックチャンネルを介する信号の伝送のためのそれ自身のプロトコルスタックを定義する。ＩＳ−９５ＣＤＭＡ大気インタフェ−スがＧＳＭ  ＴＤＭＡインタフェ−スと基本的に異なる技術に基づいているので、従来のＩＳ−９５とＧＳＭプロトコルスタックの間には実質的な相違がある。更に、基準ＩＳ−９５デ−タリンク層は、トラフィックチャンネルを介する信号のためのＧＳＭ基準によって定義される幾つかのデ−タリンク層サ−ビス、特に、承認モ−ド作用と関連するサ−ビスは提供しない。例えば、ＩＳ−９５デ−タリンク層は、オ−バヘッド（例えば、呼出（ｐａｇｉｎｇ）と接続）チャンネル上の信号のためのＧＳＭ要求には従わない。
【０００７】
ここに引用文献として組入れられている国際特許出願番号ＰＣＴ／ＵＳ９６／２０７６４号は、ＧＳＭの網サ−ビスとプロトコルを実施するためにＣＤＭＡ空間インタフェ−スを使用する無線通信システムを説明している。このシステムを使用して、現存するＧＳＭ網の少なくとも幾つかのＴＤＭＡ基地局と加入者ユニットは、相応するＣＤＭＡ装置によって置換されるか又は補充されるだろう。このシステムにおけるＣＤＭＡ  ＢＳＳは、基準ＧＳＭ  Ａインタフェ−スを介してＧＳＭ移動交換センタ（ＭＳＣ）と通信するために適合させられる。コアＧＳＭ網サ−ビスは、こうして維持され、ＴＤＭＡからＣＤＭＡへの切替えはユ−ザに明白である。
【０００８】
ＧＳＭとＣＤＭＡの両方の要素を取り入れた混成（Ｈｙｂｒｉｄ）セルラ通信網はまた、国際公表番号ＷＯ９５／２４７７１号公報及びＷＯ９６／２１９９９号公報並びに第２回一般個人通信国際会議（Ｉｎｔｅｒｎａｔｉｏｎａｌ  Ｃｏｎｆｅｒｅｎｃｅ  ｏｎ  Ｕｎｉｖｅｒｓａｌ  Ｐｅｒｓｏｎａｌ  Ｃｏｍｍｕｎｉｃａｔｉｏｎｓ）、オタワの会報、ｐｐ．１８１−１８５における“ＣＤＭＡ移動局とＧＳＭ交換センタの間の加入者信号ゲ−トウェイ”と題するＴｓｃｈａ氏その他による文献に記載され、これらはここに引用文献として組入れられている。
【発明の概要】
【０００９】
本発明の幾つかの態様の目的は、移動（ＧＳＭ）／符号分割多元接続（ＣＤＭＡ）セルラ通信網のための混成包括的システムにおける、移動局と基地局サブシステムの間の大気インタフェ−スの専用チャンネルを介して信号を伝えるための方法及び装置を提供することにある。
【００１０】
本発明の幾つかの態様の更なる目的は、ＣＤＭＡ大気インタフェ−スの専用チャンネルを介するＧＳＭ適合信号の使用を可能にする通信プロトコルを提供することにある。
【００１１】
本発明の好ましい実施形態においては、混合（ｍｉｘｅｄ）ＧＳＭ／ＣＤＭＡセルラ通信システムは、ＧＳＭ移動交換センタ（ＭＳＣ）によって制御される１つ又はより多いＣＤＭＡ基地局サブシステム（ＢＳＳ）を含む。移動局（ＭＳ）とＢＳＳの１つは、ＧＳＭ無線インタフェ−ス層に基づくＧＳＭ−ＣＤＭＡ無線インタフェ−ス層を支援するように改変されているデ−タリンク層を含むプロトコルスタックを使用して、ＣＤＭＡ大気インタフェ−ス（即ち、物理層）を介して通信する。好ましくは、少なくともＧＳＭ無線インタフェ−ス層の無線資源（ＲＲ）副層はまた、１９９８年７月２０日に出願され、本特許出願の譲受人に譲渡され、ここに引用文献として組入れられている“混成ＧＳＭ／ＣＤＭＡ網における基地局ハンドオ−バ”と題する米国特許出願番号第０９／１１９，７１７号に更に記載されているように、ＣＤＭＡ大気インタフェ−ス（即ち、物理層）と相互作用するように改変される。この改変されたＲＲは、ＧＳＭ−ＣＤＭＡ  ＲＲとして参照される。
【００１２】
システムは、こうして、ＣＤＭＡ大気インタフェ−スを介する専用トラフィックチャンネルにおけるＧＳＭ信号の使用を可能にする。プロトコルスタックへの改変は、ＣＤＭＡ通信工業基準によっては提供されない全てのＧＳＭ専用チャンネル信号サ−ビスを実質的に支援するために要求される機能性を提供する。
【００１３】
本発明の幾つかの好ましい実施形態においては、混合ＧＳＭ／ＣＤＭＡセルラ通信システムは、移動交換センタ（ＭＳＣ）によって共同制御されるＴＤＭＡとＣＤＭＡの両方の基地局を含む。この型のシステムは、全般的にみて、前述の国際出願及び前に参照された“混成ＧＳＭ／ＣＤＭＡ網における基地局ハンドオ−バ”と題する米国特許出願に記載されている。ＭＳは、ＴＤＭＡとＣＤＭＡの大気インタフェ−スの間を適切に交換（ｓｗｉｔｃｈｉｎｇ）することによって、好ましくは、両方の型のインタフェ−スを介してＧＳＭ網及び信号プロトコルを使用することによって、両方の型の基地局と通信することが可能である。ＣＤＭＡ大気インタフェ−スを介するこのＧＳＭプロトコルの使用は、改変されたデ−タリンク層によって、およびＧＳＭ−ＲＲ副層の適当な改変によって可能にされる。移動性管理（ＭＭ）と呼管理（ＣＭ）の副層は、好ましくはＧＳＭ基準に関連して実質的には未改変である。
【００１４】
本発明の幾つかの好ましい実施形態においては、改変されたデ−タリンク層は、ＩＳ−９５仕様によって定義されるようなＣＤＭＡ物理層と通信するＩＳ−９５デ−タリンク層に実質的に相応するより下位の副層、及びより下位の副層とＧＳＭ−ＣＤＭＡ無線インタフェ−ス層のＲＲ副層の間で通信する適合副層としてここに参照されるより上位の副層の２つの副層を含む。適合副層は、デ−タリンク層に関連するＧＳＭ基準によって要求されるが、より下位の副層によって（即ち、ＩＳ−９５デ−タリンク層によって）は提供されない付加機能性を提供する。付加機能性は、好ましくは、（１）各自異なる伝送特性を持つ幾つかのデ−タリンクを提供するための手順、（２）デ−タリンク接続端点（ｃｏｎｎｅｃｔｉｏｎ  ｅｎｄｐｏｉｎｔ）の同一性確認、（３）無線インタフェ−ス層メッセ−ジの整列、（４）大きな無線インタフェ−ス層メッセ−ジの断片化と再組立、（５）優先権に従う無線インタフェ−ス層メッセ−ジの伝送、（６）ハンドオ−バの間のデ−タリンクサ−ビスの中止と再開、および（７）ＩＳ−９５信号メッセ−ジの透明な伝送（トンネルすること（ｔｕｎｎｅｌｉｎｇ））を含む。
【００１５】
それ故に、本発明の好ましい実施形態に従って、ＧＳＭ移動無線通信システムにおいて、
ＧＳＭインタフェ−ス基準に基づく信号メッセ−ジを発生させ、
ＣＤＭＡ大気インタフェ−スを介する伝送のためのメッセ−ジを処理するデ−タリンクサ−ビスを提供し、
処理されたメッセ−ジをＣＤＭＡ大気インタフェ−スを介して伝送することを含むＣＤＭＡ大気インタフェ−スを介する移動局と基地局の間の信号を伝えるための方法が提供される。
【００１６】
好ましくは、デ−タリンクサ−ビスを提供することは、ＧＳＭインタフェ−ス基準に基づく信号メッセ−ジを処理するためのデ−タリンク層を使用して、伝送のためのＩＳ−９５メッセ−ジを作り出すことを含む。デ−タリンク層は、好ましくは、信号メッセ−ジに基づくＩＳ−９５メッセ−ジを作り出すための信号メッセ−ジを受信して、最も好ましくは、内部に閉じ込める適合副層を含む。
【００１７】
その上に、又はその代わりに、創意的デ−タリンク層は更にＩＳ−９５デ−タリンク層を含み、且つ適合副層は、ＧＳＭ基準に基づく無線資源プロトコル副層から信号メッセ−ジを受信して、ＩＳ−９５デ−タリンク層へＩＳ−９５メッセ−ジを伝える。好ましくは、適合副層は更にＩＳ−９５基準に基づく信号メッセ−ジを受信して、ＩＳ−９５基準に基づくメッセ−ジを実質的に処理することなくデ−タリンク層へ伝える。
【００１８】
好ましくは、デ−タリンクサ−ビスを提供することは、メッセ−ジを内部に閉じ込めること、最も好ましくは、ＩＳ−９５デ−タバ−ストメッセ−ジの全般的な形式で内部に閉じ込めることを含む。
【００１９】
好ましい実施形態においては、デ−タリンクサ−ビスを提供することは、メッセ−ジをＣＤＭＡ大気インタフェ−スを介する伝送のための複数のサブメッセ−ジに断片化することを含む。好ましくは、メッセ−ジを断片化することは、その連続する順序に従ってサブメッセ−ジ各自のヘッダ（ｈｅａｄｅｒ）にメッセ−ジ番号を割当てることを含み、そしてその方法は、サブメッセ−ジを受信し、メッセ−ジ番号に応答して連続する順序にそれらを連結することを含む。
【００２０】
好ましくは、メッセ−ジを発生させることは、割当てられた順序を持つ複数のメッセ−ジを発生させることを含み、そしてその方法は、ＣＤＭＡ大気インタフェ−スを介して承認作用モ−ドでメッセ−ジを受信し、割当てられた順序に応答してメッセ−ジを配列することを含む。
【００２１】
更に好ましくは、メッセ−ジを発生させることは、夫々の優先権を持つ複数のメッセ−ジを発生させることを含み、そしてデ−タリンクサ−ビスを提供することは、その優先権に応答する順序でＣＤＭＡ大気インタフェ−スを介する伝送のために処理されたメッセ−ジを伝えることを含み、そこで、デ−タリンクサ−ビスを提供することは、好ましくは、ＧＳＭサ−ビス接続点インジケ−タに応答して優先権を割当てることを含む。
【００２２】
好ましくは、デ−タリンクサ−ビスを提供することは、第１番目の基地局から第２番目の基地局への移動局のハ−ドハンドオ−バの間、移動局によってメッセ−ジの伝送を中止し、ハンドオ−バが完結した後、伝送を再開することを含む。好ましい実施形態においては、第１番目の基地局は、ＣＤＭＡ大気インタフェ−スを持ち、第２番目の基地局は、ＧＳＭ−ＴＤＭＡ大気インタフェ−スを持ち、そしてデ−タリンクサ−ビスを提供することは、メッセ−ジを切り換えることを含み、メッセ−ジの伝送は、メッセ−ジがＧＳＭ−ＴＤＭＡ大気インタフェ−スを介する伝送のために用意されるように、ＧＳＭデ−タリンク層へのハ−ドハンドオ−バに応答して中止される。
【００２３】
好ましくは、処理されたメッセ−ジを伝送することは、トラフィックチャンネルを介してメッセ−ジを伝送することを含む。
【００２４】
更に、本発明の好ましい実施形態に従って、無線通信装置は、デ−タリンクサ−ビスによって信号メッセ−ジがＣＤＭＡ大気インタフェ−スを介して伝送され、基地局と移動局の間にＧＳＭインタフェ−ス標準に従って発生する信号メッセ−ジが、デ−タリンクサ−ビスを使用して伝送のために処理されるように、ＣＤＭＡ大気インタフェ−スを介して通信し、そしてＣＤＭＡ大気インタフェ−スを介して伝送されるメッセ−ジを処理するためのデ−タリンクサ−ビスを提供するところの基地局と移動局を含むＧＳＭ移動通信システムにおいて使用するために提供される。
【００２５】
好ましくは、ＣＤＭＡ大気インタフェ−スは、ＩＳ−９５基準に基づき、そこでは、基地局と移動局は、ＧＳＭインタフェ−ス基準に基づき信号メッセ−ジを処理するためのデ−タリンク層を含むプロトコルスタックを使用して通信する。デ−タリンク層は、好ましくは、信号メッセ−ジを受信して、最も好ましくは、内部に閉じ込め、且つ信号メッセ−ジに基づくＩＳ−９５メッセ−ジを作り出す適合副層を含む。
【００２６】
好ましい実施形態においては、デ−タリンク層は更にＩＳ−９５デ−タリンク層を含み、且つ適合副層は、ＧＳＭ基準に基づく無線資源プロトコル副層から信号メッセ−ジを受信し、ＩＳ−９５デ−タリンク層へＩＳ−９５メッセ−ジを伝える。好ましくは、適合副層は更にＩＳ−９５基準に基づく信号メッセ−ジを受信し、実質的に処理することなくデ−タリンク層へＩＳ−９５基準に基づくメッセ−ジを伝える。更に好ましくは、信号メッセ−ジは伝送のために、最も好ましくは、ＩＳ−９５デ−タバ−ストメッセ−ジの全般的な形式で内部に閉じ込められる。
【００２７】
好ましくは、少なくとも幾つかのメッセ−ジは、ＣＤＭＡ大気インタフェ−スを介する伝送のための複数のサブメッセ−ジに断片化され、そこでは、メッセ−ジ番号はその連続する順序に従ってサブメッセ−ジ各自のヘッダに割当てられ、そしてサブメッセ−ジが受信されるとき、サブメッセ−ジはメッセ−ジ番号に応答して連続する順序に連結される。
【００２８】
好ましい実施形態においては、複数のメッセ−ジは、ＣＤＭＡ大気インタフェ−スを介して承認伝送モ−ドで割当てられた順序に従って伝送され、そしてメッセ−ジが受信されるとき、メッセ−ジは割当てられた順序に応答する出力のために配列される。
【００２９】
好ましくは、メッセ−ジは夫々優先権を持ち、その優先権に応答する順序でＣＤＭＡ大気インタフェ−スを介する伝送のために伝えられ、そこでは、優先権は、ＧＳＭサ−ビス接続点インジケ−タに応答して割当てられる。
【００３０】
好ましくは、移動局は、第１番目の基地局から第２番目の基地局への移動局のハ−ドハンドオ−バの間、メッセ−ジの伝送を中止し、ハンドオ−バが完結した後伝送を再開する。好ましい実施形態においては、第１番目の基地局はＣＤＭＡ大気インタフェ−スを持ち、第２番目の基地局はＧＳＭ−ＴＤＭＡ大気インタフェ−スを持ち、そこでは、メッセ−ジがＧＳＭ−ＴＤＭＡ大気インタフェ−スを介する伝送のために用意されるように、中止されたメッセ−ジはＧＳＭデ−タリンク層へのハンドオ−バに応答して切り換えられる。好ましくは、処理されたメッセ−ジはトラフィックチャンネルを介して伝送される。
【００３１】
本発明は、図面と一緒に取って見れば、その好ましい実施形態の詳細な次の説明からより十分に理解されるだろう。
【図面の簡単な説明】
【００３２】
【図１】技術的に周知のように、ＧＳＭ通信プロトコルを示す図式化したブロック図である。
【図２】本発明の好ましい実施形態に従う、混成ＧＳＭ／ＣＤＭＡセルラ通信システムの図式化したブロック図である。
【図３Ａ】本発明の好ましい実施形態に従う、図２のシステムの要素間の通信プロトコルスタックを示す図式化したブロック図である。
【図３Ｂ】本発明の好ましい実施形態に従う、図３Ａのプロトコルスタックの詳細を示す図式化したブロック図である。
【図４】本発明の好ましい実施形態に従う、図２のシステムの要素間を伝えられるメッセ−ジを示す図式化したブロック図である。
【図５】本発明の好ましい実施形態に従う、図３Ａと図３Ｂに示されるプロトコルスタックの作用を示す図式化したブロック図である。
【図６】本発明の好ましい実施形態に従う、図３Ａと図３Ｂに示されるプロトコルスタックの作用を示す図式化したブロック図である。
【図７】本発明の好ましい実施形態に従う、図２のシステムにおいて使用するための通信プロトコルスタックを示す図式化したブロック図である。
【図８】本発明の好ましい実施形態に従う、図２のシステムにおいて使用するための通信プロトコルスタックを示す図式化したブロック図である。
【図９】本発明の好ましい実施形態に従う、図２のシステムにおいて使用するための通信プロトコルスタックを示す図式化したブロック図である。
【図１０】本発明の好ましい実施形態に従う、図２のシステムにおいて使用するための通信プロトコルスタックを示す図式化したブロック図である。
【発明を実施するための形態】
【００３３】
本発明の好ましい実施形態に従う、図２のシステムにおいて使用するための通信プロトコルスタックを示す図式化したブロック図である。
【００３４】
好ましい実施形態の詳細な説明  それでは、本発明の好ましい実施形態に従って、混成ＧＳＭ／ＣＤＭＡセルラ通信システム２０の図式化したブロック図である図２を参照する。システム２０は、この中で前に説明したように、ＧＳＭ通信基準に基づく公衆地上移動網（ＰＬＭＮ）２２の周りに築かれる。このような網のための構造基盤はすでに存在し、多くの国々で広く使用されていて、本発明は現存する構造基盤に主要な変更を要求することなく、このような網に関係があるＣＤＭＡサ−ビスを徐々に導入することを可能にする利点を持つ。
【００３５】
ＰＬＭＮ２２は、少なくとも１つの移動サ−ビス交換センタ（ＭＳＣ）２４、又は多分幾つかのこのようなセンタ（ここでは、説明を明快にするために、１つのＭＳＣのみが示されているが）を含み、地理的領域の中で網作用を制御する。他の機能の中で、ＭＳＣ２４は、ＰＬＭＮ２２を公衆交換電話網（ＰＳＴＮ）及び／又はパケットデ−タ網（ＰＤＮ）４８へつなぐのと同様に、加入者ユニットの位置登録及び基地局の間の加入者ユニットのハンドオ−バに責任を負う。ＰＬＭＮはまた、網管理センタ（ＮＭＣ）２６とセル放送センタ（ＣＢＣ）２８を含む。システム２０の他の面及びシステムにおける移動局（ＭＳ）４０の構造と作用に関する詳細と同様に、これらの要素の機能は更に、“混成ＧＳＭ／ＣＤＭＡ網における基地局ハンドオ−バ”と題する前述の米国特許出願及び前に参照された国際特許出願に記載されている。
【００３６】
システム２０は、１つ又はより多い容認されたセルラ通信周波数帯域における無線ＲＦリンクについて、複数の基地局サブシステム（ＢＳＳ）３０と３２を介してＰＬＭＮ２２と通信する複数のＭＳ４０を含む。また加入者ユニットとして周知のＭＳ４０は、好ましくは、実質的に基準ＧＳＭ  ＴＤＭＡ信号プロトコルを使用するＧＳＭ  ＢＳＳ３０、及びこの中で後で説明するＣＤＭＡに基づく通信方法を使用するＣＤＭＡ  ＢＳＳ３２の両方と通信することが可能である。明快にするために、ＭＳ４０、ＧＳＭ  ＢＳＳ３０及びＣＤＭＡ  ＢＳＳ３２各自ただ１つだけが図２に示されているが、現実には、システム２０が典型的にはこれらのシステム要素各自を複数含むことは、理解されるだろう。
【００３７】
ＧＳＭ  ＢＳＳ３０とＣＤＭＡ  ＢＳＳ３２は、両方ともＭＳＣ２４と通信し、ＭＳＣ２４によって制御される。ＧＳＭ  ＢＳＳ３０とＭＳＣ２４の間の通信は、実質的にはＧＳＭ基準に従う。ＣＤＭＡ  ＢＳＳ３２はＧＳＭ基準に従ってＰＬＭＮ２２と通信するように、特に、この中で後で図３Ａを参照して更に説明するように、ＧＳＭ基準Ａインタフェ−スを介してＭＳＣ２４と通信するように、ＩＳ−９５ＣＤＭＡ基準と関連して改変される。好ましくは、ＢＳＳ３２はまた、大気を介して放送されるメッセ−ジを受信するようにＣＢＣ２８と通信し、且つＮＭＣ２６と通信する無線運営保守センタ（ＯＭＣ−Ｒ）３８を含む。
【００３８】
ＣＤＭＡ  ＢＳＳ３２とＭＳ４０の間の通信は、好ましくは、全般的に見てＣＤＭＡ通信のためのＩＳ−９５基準、最も好ましくは、ＩＳ−９５Ｂ（ＴＩＡ／ＥＩＡ−９５−Ｂ）版の基準に従うＣＤＭＡ大気インタフェ−スの上に築かれる。幾つかの基地局トランシ−バ（ＢＴＳ）３６を制御し、それらと通信する基地局制御器（ＢＳＣ）３４の周りにＢＳＳ３２は築かれる。各ＢＴＳは、ＭＳが特定のＢＴＳによってサ−ビスを受けている地理的領域、即ちセルの中にあるとき、ＭＳ４０へＲＦ信号を送信し、ＭＳ４０からＲＦ信号を受信する。電話呼の間に、ＭＳが一方のＣＤＭＡ  ＢＴＳ３６のセルから他方のＣＤＭＡ  ＢＴＳ３６のセルへ移動するとき、ＣＤＭＡ技術において周知のように、ＢＴＳの間の“ソフトハンドオフ”（即ち、ハンドオフ）が生じる。
【００３９】
しかしながら、ＣＤＭＡサ−ビス領域を持たない（即ち、このような区域にはＣＤＭＡ  ＢＴＳ３６がない）か、又はその区域でのサ−ビス領域が弱体化しているか若しくは輻輳しているシステム２０のサ−ビスの区域もまたあるかも知れない。ＭＳ４０が電話呼の間にこのような区域に移動するならば、ＭＳは呼を中断することなく、ＣＤＭＡ  ＢＴＳからＧＳＭ  ＢＳＳ３０と関連するＢＴＳへハンドオ−バされる。同様に、ＭＳ４０が呼の間に、ＧＳＭ  ＢＳＳ３０によってのみサ−ビスを受けている区域からＣＤＭＡ  ＢＴＳ３６のセルに移動するならば、ＭＳ４０は、好ましくはＧＳＭからＣＤＭＡ  ＢＳＳへハンドオ−バされる。一方のＣＤＭＡ  ＢＳＳ３２と他方のＣＤＭＡ  ＢＳＳの間と同様に、ＣＤＭＡとＧＳＭ／ＴＤＭＡのサ−ビスの間、及びその逆の間でこのようなハンドオ−バを行うための方法は、更に“混成ＧＳＭ／ＣＤＭＡ網における基地局ハンドオ−バ”と題する前述の米国特許出願に記載されている。
【００４０】
図２に示されるように、このような方法とシステム２０の構成によって、ＭＳ４０はＴＤＭＡ区域におけるサ−ビスを喪失することなく、ＣＤＭＡサ−ビスが実施されてきたシステム２０によってサ−ビスを受けるこれらの区域において、ＣＤＭＡサ−ビスの恩恵を受ける。より高位レベルのＧＳＭ網と信号プロトコルはシステムを通じて観察され、且つより低位レベルのＲＦ大気インタフェ−ス及び関連があるデ−タリンク作用のみは移行の間に変更されるので、ＣＤＭＡとＴＤＭＡの区域の間の移行は、ＭＳ４０のユ−ザには実質的に透明である。
【００４１】
図３Ａは、本発明の好ましい実施形態に従って、ＭＳ４０、ＣＤＭＡ  ＢＳＳ３２及びＧＳＭ  ＭＳＣの間の信号インタフェ−スに使用されるプロトコルスタックを図式化して示すブロック図である。これらのインタフェ−スは、ＭＳ４０がＣＤＭＡ大気インタフェ−スを介してＧＳＭ網２２と通信することを可能にする。これらのインタフェ−スを通してのメッセ−ジの流れと同様に、これらのインタフェ−スとプロトコルの作用の幾つかの面は、“混成ＧＳＭ／ＣＤＭＡ網における基地局ハンドオ−バ”と題する前述の米国特許出願、及び国際特許出願番号ＰＣＴ／ＵＳ９６／２０７６４号に非常により詳細に記載されている。ＭＳ４０がＧＳＭ−ＴＤＭＡ  ＢＳＳ３０を介してＭＳＣ２４と通信しているときに、プロトコルスタックは、図１を参照してこの中で前に説明したように、実質的に改変することなくＧＳＭ基準に従う。
【００４２】
ＭＳ４０は、混成ＧＳＭ／ＣＤＭＡプロトコルスタック５０を使用して、ＣＤＭＡ  Ｕｍインタフェ−ス（又は大気インタフェ−ス）を介して、ＣＤＭＡ  ＢＳＳ３２と信号を交換する。スタックは、ＩＳ−９５作用がＧＳＭのより上位の層のプロトコルの要求を受入れるために改変されるＧＳＭ−ＣＤＭＡデ−タリンク層５４を付加したＣＤＭＡ  ＩＳ−９５物理層５２、及びＧＳＭ−ＣＤＭＡ  ＲＲ副層５６に基づく。ＭＳ４０がＢＳＳ３２と通信中のとき、ＧＳＭ−ＣＤＭＡ  ＲＲ副層５６は、ＣＤＭＡ  Ｕｍインタフェ−スを介して、ＢＳＳ３２のＧＳＭ−ＣＤＭＡ  ＲＲ副層５６と通信するためにＭＳスタック５０における適切なより低位の層５２と５４を呼び覚ます。他方では、ＭＳ４０がＢＳＳ３０と通信中のとき、ＲＲ副層５６は、実質的に基準ＧＳＭ−ＴＤＭＡ物理層、デ−タリンク層及び無線インタフェ−ス層を呼び覚ます。
【００４３】
使用されている大気インタフェ−スのどれにも関係なく、ＧＳＭ−ＣＤＭＡ  ＲＲ副層５６は、その上の基準ＧＳＭ無線インタフェ−ス層の移動性管理（ＭＭ）及び呼管理（ＣＭ）の副層を支援する。ＭＭとＣＭの副層はＢＳＳ３２によって処理されないが、むしろ下のＣＤＭＡインタフェ−ス層に実質的に透明な方法で処理するために、ＭＳ４０とＭＳＣ２４の間を通して中継される。ＲＲ副層５６は、好ましくはここに引用文献として組入れられているＧＳＭ仕様０４．０７及び０４．０８によって定義されるように、完全な無線資源管理機能性を提供する。“ＲＲ”副層５６は、それ自体ＣＤＭＡ  ＩＳ−９５基準によって定義されないが、ここに説明したＧＳＭ−ＣＤＭＡ  ＲＲ副層５６は、同様に十分なＩＳ−９５無線資源管理機能性を維持する。
【００４４】
ＣＤＭＡ  ＢＳＳ３２は、適切なＳＳ７とＢＳＳＡＰプロトコルを含む基準で実質的に未改変のＧＳＭ  Ａインタフェ−スを介してＧＳＭ  ＭＳＣ２４と通信する。ＣＤＭＡ  ＢＳＣ３４が基準Ａインタフェ−スを使用してＧＳＭ  ＭＳＣ２４と通信するので、実質的に、ＧＳＭシステム２０へのＣＤＭＡ  ＢＳＳ３２の付加を可能にするために、コアＧＳＭ  ＭＳＣにおいて要求される改変はない。それだけではなく、ＭＳＣ２４がＧＳＭ／ＴＤＭＡ  ＢＳＳ３０とＣＤＭＡ  ＢＳＳ３２の間の同一性にどのような相違があるかを気付く必要がないのは、両方ともＡインタフェ−スを介して実質的に同一の方法でＭＳＣと通信するからである。
【００４５】
ＧＳＭ−ＣＤＭＡデ−タリンク層５４は、ＧＳＭとＩＳ−９５の両方の基準によって提供されるように、承認と未承認の両方のモ−ドのＢＳＳ３２とＭＳ４０の間の信号伝送を支援する。承認モ−ドは、実質的にＩＳ−９５Ｂによって指定されているように、ＢＳＳ３２とＭＳ４０の間のメッセ−ジに事前決定されたフラグを設定することにより、ＲＲ副層５６によって呼び覚まされる。更に、層５４はこのメッセ−ジ整列のような機能性、優先権と断片化、及びＣＤＭＡ  ＩＳ−９５デ−タリンク層によってではなく、基準ＧＳＭデ−タリンク層によって正常に支援される通信の中止と再開を含む。それ故に、ＧＳＭ−ＣＤＭＡデ−タリンク層５４は以下を含み、ＩＳ−９５によって通常支援されない幾つかのＧＳＭ信号の特徴を支援するように、ＣＤＭＡデ−タリンク層（ＩＳ−９５によって指定されるように）と関連して改変される。
【００４６】
・延長した無線インタフェ−ス層メッセ−ジの長さ。ここに引用文献として組入れられているＧＳＭ基準０４．０６、部門５．８．５に従って、承認モ−ドでの伝送のためにデ−タリンク層へ手渡された無線インタフェ−ス層メッセ−ジは、２５１オクテットまでの長さであってもよい。（この中で前に注目したように、無線インタフェ−ス層メッセ−ジは、それに限定はされないが、ＧＳＭ−ＣＤＭＡ  ＲＲ副層５６によって又は介して伝えられるメッセ−ジを含む。）比較すると、ＩＳ−９５トラフィックチャンネル信号メッセ−ジの合計の長さは、２５５オクテットであるが、ＩＳ−９５との機能的な健全性と適合性を維持するために、以下を含む幾つかのフィ−ルドがわきへ設定されて  いる。
【００４７】
・メッセ−ジ長（ＭＳＧ＿ＬＥＮＧＴＨ）−１オクテット
・ＣＲＣ−２オクテット
・メッセ−ジ型（ＭＳＧ＿ＴＹＰＥ）−１オクテット
・基準デ−タリンク層ヘッダフィ−ルド（ＡＣＫ＿ＳＥＱ、ＭＳＧ＿ＳＥＱ、
ＡＣＫ＿ＲＥＱ）−１オクテット
・暗号化情報（ＥＮＣＲＹＰＴＩＯＮ）−２ビット
それ故に、ＩＳ−９５メッセ−ジは２５０オクテットより多くを含むことができない。それだけでなく、ＧＳＭ無線インタフェ−ス層メッセ−ジがＩＳ−９５デ−タバ−ストメッセ−ジ（ＤＢＭ）のように内部に閉じ込められるならば（即ち、ＩＳ−９５ＤＢＭのように伝送されるようになっているならば）、又は図４を参照してこの中で後で説明するように、ＤＢＭと同様な形式で内部に閉じ込められるならば、メッセ−ジデ−タの最大の長さは２４６オクテットより多くなることはできない。従って、ＧＳＭ−ＣＤＭＡデ−タリンク層５４は、更にこの中で後で説明するように、これらの長さの制限に適合させるために、長いＧＳＭ信号メッセ−ジを断片化する。
【００４８】
・メッセ−ジの整列。ＩＳ−９５仕様に従って、信号のためのＩＳ−９５デ−タリンク層プロトコルは、どのような特定の順序のメッセ−ジの配達も保証しない。メッセ−ジの列（ｓｅｑｕｅｎｃｅ）がある順序で受信されなければならないとき、送出する実体は、次のメッセ−ジを送出する前の列における各メッセ−ジを受信する実体からの承認を待たなければならない。しかしながら、ＧＳＭ−ＣＤＭＡデ−タリンク層５４は、ＧＳＭ基準によって要求されるような、列制御を提供するので、送出する実体（ＭＳ４０をいう）によって発生する特定の無線インタフェ−ス層メッセ−ジは伝送され、且つ連続する順序で受信する実体（ＢＳＳ３２）の無線インタフェ−ス層へ手渡される。
【００４９】
・メッセ−ジの断片化。ＩＳ−９５仕様に従って、信号メッセ−ジは、順を追って伝送される幾つかのトラフィックチャンネルフレ−ムに断片化されるかも知れない。しかしながら、これらのフレ−ムのどの１つが喪失されても、全体のメッセ−ジは再伝送されなければならなくなり、こうして、トラフィックチャンネル帯域幅を無駄遣いする。ＧＳＭ−ＣＤＭＡデ−タリンク層５４は、長い無線インタフェ−ス層メッセ−ジの整然とした断片化を提供するので、喪失されたデ−タリンク層の断片のみが再伝送されなければならない。同様に、長い無線インタフェ−ス層メッセ−ジのデ−タリンク層の断片の伝送が先取りされ、即ち、他のより高い優先権のメッセ−ジによって中断されるならば、ＧＳＭ−ＣＤＭＡデ−タリンク層５４は、好ましくは先取りの前に伝送されなかった断片のみの伝送を後で再開する。
【００５０】
・メッセ−ジの優先権。ＧＳＭ−ＣＤＭＡデ−タリンク層５４は、事前に割当てられた優先権に従って無線インタフェ−ス層の伝送を支援する。例えば、ＧＳＭ短メッセ−ジサ−ビス（ＳＭＳ）に割当てられている、３のＧＳＭサ−ビス接続点アイデンティファイア（ＳＡＰＩ）を持つメッセ−ジは、呼関連の信号（ＳＡＰＩ０）より低い優先権を持つ。このような優先順位化は、基準ＩＳ−９５デ−タリンク層によっては支援されない。
【００５１】
図３Ｂは、本発明の好ましい実施形態に従って、ＭＳ４０とＢＳＳ３２のプロトコルスタック５０におけるＧＳＭ−ＣＤＭＡデ−タリンク層５４の実施の詳細を図示するブロック図である。ＧＳＭ−ＣＤＭＡデ−タリンク層５４は、ＩＳ−９５物理層５２と通信するＩＳ−９５デ−タリンク層７２、及びＧＳＭ−ＣＤＭＡ  ＲＲ副層５６とＩＳ−９５デ−タリンク層７２の間に付加された適合副層７４を含む。ＩＳ−９５物理層とＩＳ−９５無線インタフェ−ス層は、実質的に改変することなくＩＳ−９５基準に従う。ＲＲ副層５６は、基準ＧＳＭサ−ビス原型に基づく層から層へのメッセ−ジを使用して適合副層７４と通信する。ＲＲ副層５６は、基準ＧＳＭ信号メッセ−ジ、基準ＩＳ−９５信号メッセ−ジ及び確かな機能のための特殊ＧＳＭ−ＣＤＭＡメッセ−ジの結合を使用してＢＳＳ３２のＲＲ副層と通信する。適合副層７４は、こうしてＧＳＭ−ＣＤＭＡ  ＲＲ副層５６とＩＳ−９５デ−タリンク層７２の間のインタフェ−スを提供し、且つ支援されるへく前に詳述したＧＳＭ信号の特徴を可能にする。
【００５２】
ＧＳＭ−ＣＤＭＡ  ＲＲ副層５６はまた、“混成ＧＳＭ／ＣＤＭＡ網における基地局ハンドオ−バ”と題する前述の米国特許出願に記載されているように、無線リンクの組み立て、取り壊し及びパイロットチャンネルの測定のような、物理層作用の機能性を制御するために、全般的にみてＧＳＭ基準によって定義されるような物理層５２とインタフェ−スする。しかしながら、本特許出願は、主にＧＳＭ−ＣＤＭＡデ−タリンク層５４を通して伝えられるサ−ビスと信号に関係がある。
【００５３】
ＩＳ−９５デ−タリンク層７２を通してＲＲ副層５６からＧＳＭ基準とＧＳＭ−ＣＤＭＡのメッセ−ジの伝送を可能にするために、適合副層７４は、好ましくはデ−タリンク層による伝送のためにメッセ−ジをＩＳ−９５ＤＢＭの内部に閉じ込める。このようなＤＢＭが受信されるとき、副層７４は内部に閉じ込めたメッセ−ジを解放し、且つメッセ−ジをＲＲ副層の方へ手渡す。その代りに、メッセ−ジは、好ましくはＤＢＭの全般的な形式と機能性を持つが、ＩＳ−９５層７２に当然認知できない要素を含む新しいメッセ−ジの型として内部に閉じ込められるかも知れない。例えば、新しいメッセ−ジの型は、ＩＳ−９５基準によっては認識されない値に、ＤＢＭのヘッダにおけるＭＳＧ＿ＴＹＰＥフィ−ルドを設定することによって生み出されるかも知れない。
【００５４】
基準ＩＳ−９５無線インタフェ−ス層メッセ−ジのような、確かなメッセ−ジ又はメッセ−ジの型は、随時に内部に閉じ込められ、且つそれらは適合副層７４によって透明に通り抜けさせられる。このメッセ−ジ伝送のモ−ドは“トンネルすること”と呼ばれる。好ましくは、ＲＲ副層５６は、特定のメッセ−ジが適合副層７４によって内部に閉じ込められるべきか否かを指定する。
【００５５】
図４は、本発明の好ましい実施形態に従って、ＧＳＭ−ＣＤＭＡ信号メッセ−ジの全部又は一部を内部に閉じ込めるＩＳ−９５ＤＢＭ８０の形式を図式的に示すブロック図である。ＤＢＭ８０は、ＩＳ−９５トラフィックチャンネル（専用チャンネルとしても周知の）を介する伝送に適切であり、更にこの中で後で説明するようにメッセ−ジ断片化を支援する。
【００５６】
ＤＢＭ８０は、好ましくは、次のフィ−ルドを含む。
【００５７】
・ＭＳＧ＿長８２（ＭＳＧ＿ＬＥＮＧＴＨ８２）−ＩＳ−９５仕様に従って、このフィ−ルドは、全体のメッセ−ジの長さがオクテットで設定される。
【００５８】
・ＤＢＭヘッダ８４−このフィ−ルドは、順方向と逆方向のトラフィックチャンネルのために、ＩＳ−９５仕様に定義されるように、好ましくは、ＩＳ−９５Ｂ、部門７．７．３．３．２．４と６．７．２．３．２．４によって指定されるように使用される。それは、好ましくは次のサブフィ−ルドを含む。
【００５９】
・バ−スト＿型（ＢＵＲＳＴ＿ＴＹＰＥ）−異なる型のＤＢＳの間を見分けるために設定される識別値。現存するＤＢＭ型及び関連するバ−スト＿型値は、ＴＩＡによって普及した仕様ＴＳＢ−５８Ａに記載され、ここに引用文献として組入れられている。未使用のバ−スト＿型値は、ＧＳＭ−ＣＤＭＡ信号メッセ−ジを伝えるＤＢＭの同一性識別をするために割当てられる。
【００６０】
・ＮＵＭ＿ＭＳＧＳ−無線インタフェ−ス層からのメッセ−ジが分割される断片の合計数へ（又はメッセ−ジが断片化されてなければ１へ）設定される。
【００６１】
・ＭＳＧ＿番号（ＭＳＧ＿ＮＵＭＢＥＲ）−単一の断片化されたメッセ−ジを伝えるＤＢＭの列における現存するＤＢＭの数に設定される。
【００６２】
・ＮＵＭ＿フィ−ルド（ＮＵＭ＿ＦＩＥＬＤＳ）−この中で後で説明するように、適合ヘッダ８６の長さプラスメッセ−ジデ−タフィ−ルド８８の長さを含む合計のＤＢＭデ−タフィ−ルドにおけるオクテットの数に設定される。
【００６３】
・適合ヘッダ８６−適合副層７４によってＧＳＭ−ＣＤＭＡ  ＲＲ副層５６から受信されるメッセ−ジへ（又は断片化されたメッセ−ジの断片の全部へ）添付され、且つ次のサブフィ−ルドを含む。
【００６４】
・拡張されたＳＡＰＩ（ＥＳＡＰＩ）９４−ＥＳＡＰＩが０に設定されている基準ＧＳＭ信号メッセ−ジとＥＳＡＰＩが１に設定されているＧＳＭ−ＣＤＭＡ信号に要求される特殊な非基準メッセ−ジを含む他のメッセ−ジの間を見分けるように、ＲＲ副層によって指定される。特殊なＧＳＭ−ＣＤＭＡメッセ−ジは、例えば、システム２０における基地局の間のハンドオ−バを制御するのに使用されてもよい。
【００６５】
・ＳＡＰＩ９６−デ−タフィ−ルド８８において伝えられるメッセ−ジを供給する無線インタフェ−ス層実体に基づくＧＳＭ標準に従って設定される。ＣＭ、ＭＭ及びＲＲ信号のために、ＳＡＰＩフィ−ルドは０に設定される。この中で前に注目したように、ＳＭＳメッセ−ジのために、それは３に設定される。ＥＳＡＰＩ９４が１のときは、ＳＡＰＩ９６は、好ましくは０に設定される。
【００６６】
・ＳＥＱ＿ＮＵＭ９８−作用が承認モ−ドのときに、トラフィックチャンネルを介して伝送される無線インタフェ−ス層メッセ−ジの全部に連続して割当てられる４を法とする数。００から始まる別々の番号列は、好ましくはＳＡＰＩとＥＳＡＰＩの値の異なる結合の全部について維持される。このフィ−ルドは、受信する適合副層が受信するＲＲ副層へ正しい順序でメッセ−ジを手渡し、且つ異なるメッセ−ジの断片の間を見分けることを可能にする（単一のメッセ−ジの全ての断片は、同様のＳＥＱ＿ＮＵＭを持っているので）。
【００６７】
・ＯＲＤ＿ＩＮＤ１００−順序修正が承認モ−ドで受信されたメッセ−ジへ適用されるべきかどうかを受信する適合副層へ示す。順序修正は更にこの中で後で説明する。
【００６８】
・デ−タ８８の次に来る他の予約されたビット９０のように、予約されたビット１０２は無視される。
【００６９】
・デ−タフィ−ルド８８−内部に閉じ込められ、ＧＳＭ−ＣＤＭＡデ−タリンク層５４によって伝えられるＲＲ副層５６又は他の無線インタフェ−ス層実体からのメッセ−ジの情報を含む。デ−タ８８はＤＢＭヘッダ８４に示されるように、全部のメッセ−ジか又は断片化されたメッセ−ジの単一の断片のいずれかを含んでもよい。
【００７０】
・ＣＲＣフィ−ルド９２−ＩＳ−９５仕様に従って、計算されＤＢＭ８０へ添  付される。
【００７１】
図５は、本発明の好ましい実施形態に従って、ＣＤＭＡ物理層５２による伝送のためのＧＳＭ−ＣＤＭＡデ−タリンク層５４によるメッセ−ジの処理を図式的に示すブロック図である。適合副層７４はＲＲ副層５６からメッセ−ジを受信し、且つＲＲ副層によってメッセ−ジに割当てられた優先権レベルに従って、伝送待ち行列（ｔｒａｎｓｍｉｓｓｉｏｎ  ｑｕｅｕｅ）１１０、１１２、１１４にメッセ−ジを配置する。より大きい又はより小さい数の待ち行列もまた使用されることができるだろうが、高い、中間の、及び低い優先権に相応して３つの待ち行列が示されている。好ましくは、ＥＳＡＰＩ１を持つメッセ−ジは高い優先権を割当てられ、一方において、ＥＳＡＰＩ０／ＳＡＰＩ０を用いるメッセ−ジは中間の優先権を受け取り、且つＥＳＡＰＩ０／ＳＡＰＩ３を用いるものは低い優先権を受け取る。
【００７２】
断片化と内部閉じ込めのブロック１１６は、優先権の順を追った待ち行列からのメッセ−ジ又は適切な寸法にされたメッセ−ジの断片を読み取る。ブロック１１６は、メッセ−ジを好ましくは基準ＩＳ−９５ＤＢＭの形式で処理し、ＩＳ−９５デ−タリンク層７２における伝送待ち行列１１８へ伝え、メッセ−ジはそこから物理層５２へ手渡される。副層７４によって断片化されるべき長いメッセ−ジはＲＲ副層５６によってそのように示される。好ましくは、このようなメッセ−ジは承認モ−ドでトラフィックチャンネルを介して伝送されることができるのみで、最も好ましくは、図４に図示された形式で内部に閉じ込められなければならない。ＤＢＭヘッダ８４のＮＵＭ＿ＭＳＧＳとＭＳＧ＿番号のフィ−ルドは、この中で前に説明したように、断片の数と列に従ってブロック１１６によって設定され、そこでは単一の断片は、ときには全体の“断片化された”メッセ−ジのために十分であるかも知れない。好ましくは効率的な伝送のために、メッセ−ジ断片の最大の長さは無線インタフェ−ス層デ−タの６４オクテットに設定される。
【００７３】
ＲＲ副層５６は、承認モ−ド作用においてトラフィックチャンネルを介して伝送され、内部に閉じ込められたメッセ−ジが順を追って配達されるべきことを、随意に指定してもよい。この場合、ブロック１１６は、好ましくはＯＲＤ＿ＩＮＤ１００を１であるように設定する。このようなメッセ−ジの順序は、ＩＳ−９５デ−タリンク層による各新ＤＢＭのために、ＤＢＭヘッダ８４におけるＭＳＧ＿ＳＥＱフィ−ルドの増加に基づいて維持される。更にこの中で後で説明するように、ＯＲＤ＿ＩＮＤとＭＳＧ＿ＳＥＱのフィ−ルドは、その正しい順序で、ＲＲ副層へメッセ−ジを手渡す受信する実体の適合副層によって使用される。正常のＩＳ−９５機能性に従って、ＩＳ−９５デ−タリンク層７２が未承認メッセ−ジがＲＲ副層５６から受信されるその順序で未承認メッセ−ジを送信することが注目される。好ましくは、基準ＩＳ−９５メッセ−ジは、（ＧＳＭとＧＳＭ−ＣＤＭＡのメッセ−ジと対照したものとして）デ−タリンク層７２によって特別に整列されない。
【００７４】
ＧＳＭ−ＣＤＭＡデ−タリンク層５４の更なる機能は、メッセ−ジ喪失を回避するように、ＧＳＭ  ＢＳＳ又は他のＣＤＭＡ  ＢＳＳ（図に示されていない）のような、他のＢＳＳへのハ−ドハンドオ−バの間のＭＳ４０からＢＳＳ３２への承認モ−ドメッセ−ジの中止である。ハンドオ−バを開始すると、ＢＳＳ３２は、ＭＳ４０への、及びＭＳ４０からの無線インタフェ−ス層メッセ−ジの流れを中止する。ハンドオ−バと関係がある高優先権（ＥＳＡＰＩ１）メッセ−ジは伝えられるが、ＭＳでの適合副層７４の待ち行列１１２と１１４におけるメッセ−ジ待機は、待ち行列において、ハンドオ−バの完結を未処理のままに保持される。ハンドオ−バが完結した後、待ち行列メッセ−ジは、必要ならば新ＢＳＳとの通信のために適切な代りのプロトコル層へ、例えば、ＢＳＳ３０への伝送のためにＤｍチャンネル（ＬＡＰＤｍ）上のＧＳＭリンク接続プロトコルへ切り換えられる。伝送はそれから再開する。このような、異なる大気インタフェ−スの間のメッセ−ジの中止／再開と切り換えの機能はＩＳ−９５によっては支援されない。
【００７５】
図６は、本発明の好ましい実施形態に従って、ＧＳＭ−ＣＤＭＡデ−タリンク層５４によって受信されるＩＳ−９５物理層５２からのメッセ−ジの処理を図式的に示すブロック図である。物理層からのメッセ−ジはＩＳ−９５デ−タリンク層によって取り扱われ、受信待ち行列１２０に配置され、そこから整列バッファ（ｏｒｄｅｒｉｎｇ  ｂｕｆｆｅｒ）１２２へ手渡される。バッファは、好ましくは４つの実体を含む。バッファにおけるメッセ−ジが、１に設定されたＯＲＤ＿ＩＮＤを用いて承認モ−ドで伝送されるＤＢＭ８０（図４）の形式を持つとき、メッセ−ジは、ＤＢＭヘッダ８４におけるＭＲＧ＿ＳＥＱの４を法とする値に従うバッファ入口の１つに蓄積される。バッファ１２２におけるメッセ−ジは、それから内部閉じ込めの解放（ｄｅ−ｅｎｃａｐｓｕｌａｔｉｏｎ）及び再組立ブロック１２４によって読み取られ、順を追って処理される。しかしながら、オ−バヘッドチャンネルを介して伝えられるか、又は０に設定されたＯＲＤ＿ＩＮＤを持つ基準ＩＳ−９５メッセ−ジと内部に閉じ込められたメッセ−ジは、バッファに到着するとすぐに読み出され、ブロック１２４によって処理される。
【００７６】
ブロック１２４は、メッセ−ジを内部閉じ込めから解放し、それらの適合ヘッダ８６におけるＥＳＡＰＩ９４、ＳＡＰＩ９６とＳＥＱ＿ＮＵＭ９８のフィ−ルドに従って、連鎖バッファ１２６に仕分け入力する。ＤＢＭヘッダ８４において、メッセ−ジ型によって又は１のＮＵＭ＿ＭＳＧＳ値によって示されるように、断片化されていないメッセ−ジは、直ちに受信待ち行列（ｒｅｃｅｐｔｉｏｎ  ｑｕｅｕｅ）１２８へ手渡され、そこからメッセ−ジはＲＲ副層５６によって読み出される。所与の断片化されたメッセ−ジの断片は、バッファ１２６のどれか１つに保持され、そのバッファ１２６の１つは、断片のＮＵＭ＿ＭＳＧＳとＭＳＧ＿数のフィ−ルドによって示されるように、全ての断片が順を追って組立てられてしまうまで、そのメッセ−ジに割当てられる。断片化されたメッセ−ジの断片を伝える“サブメッセ−ジ”各自が、断片の列に従ってヘッダにおけるメッセ−ジ番号（例えば、それらの適合ヘッダ８６におけるＥＳＡＰＩ９４、ＳＡＰＩ９６とＳＥＱ＿ＮＵＭ９８のフィ−ルド）を割当てられてしまっているので、受信されたサブメッセ−ジは、メッセ−ジ番号に（例えば、それらの適合ヘッダ８６におけるＥＳＡＰＩ９４、ＳＡＰＩ９６とＳＥＱ＿ＮＵＭ９８のフィ−ルドによって示された順番に）応答して連続する順番に連結されることができる。完全に組立てられたメッセ−ジは、それから待ち行列１２８へ手渡される。
【００７７】
図３Ｂ、４、５と６は、プロトコルスタックへの適合７４の付加に基づく特定の好ましい実施形態を図示するが、従来のプロトコルスタックへの他の改変もまた、ＧＳＭ−ＣＤＭＡ  ＲＲ副層５６とＣＤＭＡ物理層５２の間にデ−タリンクサ−ビスを提供するために使用されてもよいことは、正しく認識されるだろう。この中で前に説明された実施形態は、その上の新しい適合副層の導入、且つ基準ＧＳＭ信号メッセ−ジと原型のための実質的に十分な支援の提供の導入によって、実質的に変更することなく基準ＩＳ−９５デ−タリンク層を使用する利点を持つ。代案として、例えば、完全な、新しいＧＳＭ−ＣＤＭＡ層が、図３Ｂに示される２重副層構造（ｄｕａｌ−ｓｕｂｌａｙｅｒ  ｓｔｒｕｃｔｕｒｅ）の代りに開発され、且つなお要求されるデ−タリンク層機能性を提供することができるだろう。このような代案は、多分比較的に困難で、且つ開発するために費用がかかるだろうが、しかし最終的には前述の実施形態よりも効率的な作用を達成するかも知れないだろう。他の代りのプロトコルスタックは以下の図に示される。
【００７８】
図７は、本発明の代りの実施形態に従ってプロトコルスタック５０を図式的に示すブロック図である。この実施形態は、本実施形態において適合副層１２９がＧＳＭ−ＣＤＭＡ  ＲＲ副層への改変として付加されていることを除外すれば、図３Ｂに示されるものと機能的に同様であり、この中で前に詳細に説明されている。デ−タリンク層７２は、実質的に改変又は付加することなくＩＳ−９５デ−タリンク層に相応する。図３Ｂの実施形態におけるＧＳＭ−ＣＤＭＡデ−タリンク層５４の中の適合副層７４によって提供される機能性は、ここで適合副層１２９によってその代りとして実行される。
【００７９】
図８は、本発明の他の代りの実施形態に従って、ＤＢＭ内部閉じ込め副層１３２がＧＳＭ−ＣＤＭＡ  ＲＲ副層１３０へ改変として付加された、プロトコルスタック５０を図式的に示すブロック図である。更に、スタック５０は、前述の従来の２４６オクテット限界より長い信号メッセ−ジを内部に閉じ込めるＤＢＭを送信且つ受信するために改変されているＩＳ−９５に基づくデ−タリンク層１３４を含む。これらの改変は、この中で前に説明したように、実質的に全てのＧＳＭ−ＣＤＭＡ信号メッセ−ジがＩＳ−９５ＤＢＭの全般的な形式で内部に閉じ込められ、且つこの場合においてメッセ−ジ断片化をする必要なく伝送されるようにする。
【００８０】
増大したメッセ−ジの長さに適合するために、ＤＢＭ８０のＭＳＧ＿ＬＥＮフィ−ルド８２は、好ましくは、メッセ−ジデ−タ８８の長さを２オクテットだけ小さく示すように、ＩＳ−９５基準に関連して再定義される。この方法で改変されたＤＢＭは、それから、ＧＳＭメッセ−ジの２５１オクテットプラスＤＢＭヘッダ８４の６オクテットに十分な２５７オクテットの長さの無線インタフェ−ス層メッセ−ジを支援することができるだろう。この変更は、承認モ−ドでトラフィックチャンネルを介する伝送のためのメッセ−ジの内部閉じ込めに適用し、オ−バヘッドチャンネルメッセ−ジのための又は未承認伝送のためのＤＢＭ形式に必要とされる変更はなにもない。ＤＢＭヘッダと改変されたＭＳＧ＿ＬＥＮフィ−ルドの適用を含む内部閉じ込めは副層１３２によって行われる。
【００８１】
他の点においては、図８の実施形態におけるメッセ−ジと原型の実施は、大部分図３Ｂの実施形態を参照した前述のものと同様である。しかしながら、図８の実施形態は、ＭＳＧ＿ＬＥＮの意味における変更のために、もはやＩＳ−９５信号基準とは十分に適合しない。
【００８２】
図９は、ＤＢＭ断片化副層１４２の付加によって改変されたＧＳＭ−ＣＤＭＡ  ＲＲ副層１４０を含む、本発明の他の代りの実施形態に従って、プロトコルスタック５０を図式的に示すブロック図である。デ−タリンク層７２は、実質的に改変がない基準ＩＳ−９５デ−タリンク層を含む。副層１４２は、ＩＳ−９５ＤＢＭにおけるＲＲ副層１４０から受信されるＧＳＭ−ＣＤＭＡメッセ−ジを内部に閉じ込め、それは、この中で前に説明した最大の長さの２４６オクテットを超える長いメッセ−ジの断片化を含む。内部に閉じ込められたメッセ−ジは、全般的にヘッダ８６と同様な所有者のヘッダを含み、必要な変更を加えて、そのヘッダは受信する実体の相応する断片化副層によって読み込まれ解釈される。しかしながら、層７２の見地から、内部に閉じ込められたメッセ−ジはＩＳ−９５基準と十分に適合する。
【００８３】
この中で前に説明したように、ＩＳ−９５承認モ−ドの限界のために、断片化副層１４２は、断片化されたメッセ−ジが受信されたときに、メッセ−ジがＧＳＭ−ＣＤＭＡ  ＲＲ副層１４０へ完全に且つ正しい順序で手渡されることを確実にするためのそれ自身の承認手順を持たなければならない。メッセ−ジ整列および優先化のような、図３Ｂの実施形態における適合副層７４によって提供される他のサ−ビスは、断片化副層１４２によって同様にここで行われる。無線インタフェ−ス層のレベルへのこれらのデ−タリンク層機能の切り換えは諸経費を追加し、利用できるトラフィック帯域幅の使用の効率を減少させるかも知れない。
【００８４】
図１０は、ＧＳＭ−ＣＤＭＡ信号メッセ−ジがＩＳ−９５物理層５２の２次トラフィックチャンネルを介して伝えられる、本発明のもう一つの他の代りの実施形態に従って、プロトコルスタック５０を図式的に示すブロック図である。２次トラフィックチャンネルは、ユ−ザトラフィック１４６のために使用される１次トラフックチャンネルとＩＳ−９５デ−タリンク層１４４から伝えられる基準ＩＳ−９５信号メッセ−ジのための信号トラフィックチャンネルに加えて開かれている。ＩＳ−９５仕様に従って、２次トラフィックチャンネルは、デ−タのような追加のユ−ザトラフィックを伝える目的のために、随意に開かれていて通常使用される。しかしながら、この場合においては、２次トラフィツクチャンネルは、ＧＳＭ−ＣＤＭＡ信号メッセ−ジを伝える２重目的のために且つこのような随意のユ−ザデ−タのために開かれている。
【００８５】
ＧＳＭ−ＣＤＭＡ  ＲＲ副層５６からのＧＳＭ−ＣＤＭＡ信号メッセ−ジは、２次トラフィツクチャンネルを介する伝送のために、ＧＳＭ−ＣＤＭＡデ−タリンク層１４８によって多重化副層１５０へ手渡される。多重化副層はまた、ユ−ザトラフィック１４６から、２次トラフィツクチャンネルを介する伝送を予定されているどのようなデ−タも受信し、チャンネルを介する信号とデ−タの伝送を多重化する。こうして、実質的に全ての非基準（ＧＳＭ−ＣＤＭＡ）メッセ−ジは、２次トラフィツクチャンネルを介して運ばれ、一方において、信号トラフィックチャンネルは、実質的にＩＳ−９５基準に関連した改変をすることなく、層１４４からのＩＳ−９５信号メッセ−ジを伝える。
【００８６】
好ましい実施形態が特定の混成ＧＳＭ／ＣＤＭＡシステムを参照してこの中で前に説明されたが、本発明の原理はまた、他の混成通信システムにおける信号に同様に適用されてもよいことは、正しく認識されるだろう。更に、好ましい実施形態が特定のＴＤＭＡ及びＣＤＭＡに基づく通信基準を参照にしているが、技術的に習熟した人達は、この中で前に説明された方法及び原理はまた、他のデ−タ符号化及び信号変調の方法と共に使用されてもよいことを、正しく認識するだろう。本発明の範囲は、この中で前に説明された完全なシステムおよび通信の処理のみならず、これらのシステムおよび処理の種々の創意的要素のほかその結合及びその次の結合も同様に包含する。
【００８７】
こうして、前に説明された好ましい実施形態は、例として引用されていて、本発明の全範囲は特許請求の範囲によってのみ限定されることは、正しく認識されるだろう。
【符号の説明】
【００８８】
２２・・・公衆地上移動網  ２４・・・ＧＳＭ移動サ−ビス交換センタ  ２６・・・網管理センタ  ２８・・・セル放送センタ  ３０・・・ＧＳＭ基地局サブシステム  ３２・・・基地局サブシステム  ３６・・・ＣＤＭＡ基地局トランシ−バ  ３４・・・ＣＤＭＡ基地局制御器  ３８・・・無線運営保守センタ  ４０・・・移動局
【図１】
2011055490.tif 000003
【図２】
2011055490.tif 000004
【図３Ａ】
2011055490.tif 000005
【図３Ｂ】
2011055490.tif 000006
【図４】
2011055490.tif 000007
【図５】
2011055490.tif 000008
【図６】
2011055490.tif 000009
【図７】
2011055490.tif 000010
【図８】
2011055490.tif 000011
【図９】
2011055490.tif 000012
【図１０】
2011055490.tif 000013
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
ＣＤＭＡ大気インタフェースを介して移動局と基地局の間で信号を伝えるための方法であって、
ＧＳＭインタフェース基準に基づく信号メッセージを発生させ、
ＣＤＭＡ大気インタフェースを介する伝送のために信号メッセージを処理するためのデータリンクサービスを提供し、
ＣＤＭＡ大気インタフェースを介して、処理された信号メッセージを伝送することを含み、
前記データリンクサービスを提供することは、第１の基地局から第２の基地局への移動局のハードハンドオーバの間、移動局によるＧＳＭ信号メッセージの伝送を中止し、且つハンドオーバが完結後、伝送を再開することを含み、
前記第１の基地局はＣＤＭＡ大気インタフェースを持ち、且つ第２の基地局はＧＳＭ−ＴＤＭＡ大気インタフェースを持ち、且つデータリンクサービスを提供することは、前記メッセージがＧＳＭ−ＴＤＭＡ大気インタフェースを介する伝送のために用意されるように、前記ハードハンドオーバに応じて伝送が中断されているメッセージをＧＳＭデータリンクプロトコル層に切り換えることを含む、方法。
【請求項２】
ＧＳＭ移動通信システムにおいて使用される無線通信装置であって、
基地局と、
この基地局と通信する移動局であって、ＧＳＭインタフェース基準に従って発生する、基地局と移動局の間の信号メッセージが、ＣＤＭＡ大気インタフェースを介する伝送のために処理されるように、基地局とＣＤＭＡ大気インタフェースを介して通信するように且つＣＤＭＡ大気インタフェースを介して伝送されるメッセージを処理するためのデータリンクサービスを提供するように構成された移動局を含み、
前記移動局は、第１の基地局から第２の基地局への移動局のハードハンドオーバの間メッセージの伝送を中止し、このハンドオーバが完結後伝送を再開し、
前記第１の基地局はＣＤＭＡ大気インタフェースを持ち、第２の基地局はＧＳＭ−ＴＤＭＡ大気インタフェースを持ち、
メッセージがＧＳＭ−ＴＤＭＡ大気インタフェースを介する伝送のために用意されるように、中止されたメッセージは前記ハンドオーバに応答してＧＳＭデータリンク層へ切り換えられる無線通信装置。
【請求項３】
信号メッセージをＧＳＭインタフェース基準に基づいて発生させる手段と、
ＣＤＭＡ大気インタフェースを介して伝送するために信号メッセージを処理するデータリンクサービスを提供する手段と、
処理された信号メッセージをＣＤＭＡ大気インタフェースを介して伝送する手段とを具備する、
ＧＳＭ移動通信システムにおいて使用される無線通信装置であって、
前記データリンクサービスを提供する手段は、前記移動局が第１の基地局から第２の基地局へハードハンドオーバされる間、移動局によるＧＳＭ信号メッセージの伝送を中止する手段と、このハンドオーバが完結した後、この伝送を再開させる手段とを有し、
前記第１の基地局はＣＤＭＡ大気インタフェースを有し、第２の基地局はＧＳＭ−ＴＤＭＡ大気インタフェースを有し、
前記データリンクサービスを提供する手段は、前記メッセージがＧＳＭ−ＴＤＭＡ大気インタフェースを介する伝送のために用意されるように、前記ハードハンドオーバに応じて伝送が中止されているメッセージをＧＳＭデータリンクプロトコル層に切り換える手段を有する、無線通信装置。
【外国語明細書】
2011055490000001.pdf